(57)【要約】【課題】コンデンサ装置のインダクタンスを低減する。【解決手段】基板７の表面にチップコンデンサ１０を３直列に接続した直列コンデンサＧ、Ｈ、…、Ｌを並べて配置し、基板７の裏面にチップコンデンサ１０を３直列に接続した直列コンデンサＡ、Ｂ、…、Ｆを並べて配置したコンデンサ装置１である。基板７の同一平面上に配置される直列コンデンサＡ−Ｆ（または、直列コンデンサＧ−Ｌ）は、隣接する直列コンデンサの少なくとも一方の直列コンデンサを流れる電流が逆向きとなるように配置される。また、基板７を介して対向配置される直列コンデンサ（例えば、直列コンデンサＡと直列コンデンサＧ等）を流れる電流の向きが逆になるように直列コンデンサＡ−Ｌが配置される。【選択図】図６
2018026915.tif 000002
【特許請求の範囲】
【請求項１】
基板と、
前記基板の一方の面に設けられ、複数のチップコンデンサが直列に接続された直列コンデンサを複数並設した第１コンデンサ群を、備え、
前記第１コンデンサ群は、隣接する直列コンデンサの少なくとも一方の直列コンデンサを流れる電流の向きが逆向きとなるように設けられた
ことを特徴とするコンデンサ装置。
【請求項２】
前記基板の他方の面に、複数のチップコンデンサが直列に接続された直列コンデンサを複数並設した第２コンデンサ群をさらに備え、
前記第２コンデンサ群の直列コンデンサは、流れる電流の向きが逆向きとなるように、前記第１コンデンサ群の直列コンデンサと、前記基板を挟んで向かい合うように設けられ、
前記基板を挟んで対向配置される直列コンデンサどうしが直列に接続された
ことを特徴とする請求項１に記載のコンデンサ装置。
【請求項３】
前記基板を挟んで対向配置される直列コンデンサどうしは、前記基板を貫通して形成されたスルーホールを通して直列に接続された
ことを特徴とする請求項２に記載のコンデンサ装置。
【請求項４】
前記基板は、前記第１コンデンサ群が接続される回路を構成するバスバーに対向して設けられ、
前記バスバーと向かい合う基板面に設けられた直列コンデンサは、当該直列コンデンサを流れる電流と前記バスバーを流れる電流の向きが逆方向となるように配置される
ことを特徴とする請求項１から請求項３のいずれか１項に記載のコンデンサ装置。
【請求項５】
請求項１から請求項４のいずれか1項に記載のコンデンサ装置を備えた電力変換装置。
【発明の詳細な説明】
【技術分野】
【０００１】
本発明は、コンデンサ装置に関する。特に、電力変換装置（インバータやコンバータ）等に設けられるコンデンサ装置に関する。
【背景技術】
【０００２】
コンデンサ装置は、複数のチップコンデンサを備えて構成される。例えば、コンデンサ装置は、複数のチップコンデンサからなる正極側コンデンサ群及び負極側コンデンサ群を、正極電極−負極電極間であって、基板の一方の面に備えて構成される（例えば、特許文献１）。正極側コンデンサ群は、直列接続されたチップコンデンサを複数組備え、複数組のチップコンデンサが正極電極とグランド電極部との間に並列接続して形成される。同様に、負極側コンデンサ群は、直列接続されたチップコンデンサを複数組備え、複数組のチップコンデンサが負極電極とグランド電極部との間に並列接続して形成される。
【先行技術文献】
【特許文献】
【０００３】
【特許文献１】特開２０１５−１４９８３２号公報
【特許文献２】特開２０１３−０１７３５９号公報
【特許文献３】特開２００９−２２５６１２号公報
【発明の概要】
【発明が解決しようとする課題】
【０００４】
しかしながら、基板の同一平面上にチップコンデンサを設けてコンデンサ装置を形成すると、電極間（例えば、正極電極と負極電極間）の電流経路が長くなり、コンデンサ装置のインダクタンスが大きくなる。
【０００５】
コンデンサ装置のインダクタンスが大きいと、コンデンサ装置をＹコンデンサとして用いた場合、ノイズ低減効果が十分に得られないおそれがある。また、コンデンサ装置をスナバ回路を形成するコンデンサや平滑コンデンサとして用いた場合、サージにより半導体装置がダメージを受けるおそれがある。
【０００６】
本発明は、上記事情を鑑みて為されたものであり、コンデンサ装置におけるインダクタンスの低減に貢献する技術を提供することを目的としている。
【課題を解決するための手段】
【０００７】
上記目的を達成する本発明のコンデンサ装置の一態様は、基板と、前記基板の一方の面に設けられ、複数のチップコンデンサが直列に接続された直列コンデンサを複数並設した第１コンデンサ群を、備え、前記第１コンデンサ群は、隣接する直列コンデンサの少なくとも一方の直列コンデンサを流れる電流の向きが逆向きとなるように設けられたことを特徴としている。
【０００８】
また、上記目的を達成する本発明のコンデンサ装置の他の態様は、上記コンデンサ装置において、前記基板の他方の面に、複数のチップコンデンサが直列に接続された直列コンデンサを複数並設した第２コンデンサ群をさらに備え、前記第２コンデンサ群の直列コンデンサは、流れる電流の向きが逆向きとなるように、前記第１コンデンサ群の直列コンデンサと、前記基板を挟んで向かい合うように設けられ、前記基板を挟んで対向配置される直列コンデンサどうしが直列に接続されたことを特徴としている。
【０００９】
また、上記目的を達成する本発明のコンデンサ装置の他の態様は、上記コンデンサ装置において、前記基板を挟んで対向配置される直列コンデンサどうしは、前記基板を貫通して形成されたスルーホールを通して直列に接続されたことを特徴としている。
【００１０】
また、上記目的を達成する本発明のコンデンサ装置の他の態様は、上記コンデンサ装置において、前記基板は、前記第１コンデンサ群が接続される回路を構成するバスバーに対向して設けられ、前記バスバーと向かい合う基板面に設けられた直列コンデンサは、当該直列コンデンサを流れる電流と前記バスバーを流れる電流の向きが逆方向となるように配置されることを特徴としている。
【００１１】
また、上記目的を達成する本発明の電力変換装置は、上記いずれかのコンデンサ装置を備えたことを特徴としている。
【発明の効果】
【００１２】
以上の発明によれば、コンデンサ装置のインダクタンスを低減することができる。
【図面の簡単な説明】
【００１３】
【図１】本発明の第１実施形態に係るコンデンサ装置を備えた電力変換装置の斜視図である。
【図２】本発明の第１実施形態に係るコンデンサ装置の斜視図である。
【図３】（ａ）本発明の第１実施形態に係るコンデンサ装置の裏面図、（ｂ）同コンデンサ装置の表面図である。
【図４】本発明の第１実施形態に係るコンデンサ装置の概略側面図である。
【図５】本発明の第１実施形態に係るコンデンサ装置の斜視図（基板省略）である。
【図６】（ａ）本発明の第１実施形態に係るコンデンサ装置に流れる電流の一例を示す図（裏面図）、（ｂ）同コンデンサ装置に流れる電流の一例を示す図（表面図）である。
【図７】（ａ）図６（ａ）のコンデンサ装置におけるＡ−Ａ断面を示す図、（ｂ）同コンデンサ装置におけるＢ−Ｂ断面を示す図である。
【図８】本発明の第１実施形態に係るコンデンサ装置を備えた電力変換装置の要部上面図である。
【図９】（ａ）電力変換装置の回路図、（ｂ）図８の電力変換装置のＣ−Ｃ断面図である。
【図１０】（ａ）電力変換装置の回路図、（ｂ）図８の電力変換装置のＤ−Ｄ断面図である。
【図１１】本発明の第１実施形態に係るコンデンサ装置の他例を示す図である。
【図１２】図１１に示したコンデンサ装置において流れる電流の一例を示す図（裏面図）、（ｂ）同コンデンサ装置において流れる電流の一例を示す図（表面図）である。
【図１３】本発明の第２実施形態に係るコンデンサ装置を示す斜視図である。
【図１４】（ａ）本発明の第２実施形態に係るコンデンサ装置の裏面図、（ｂ）同コンデンサ装置の表面図である。
【発明を実施するための形態】
【００１４】
本発明の実施形態に係るコンデンサ装置及びこのコンデンサ装置を備える電力変換装置について、図面に基づいて詳細に説明する。
【００１５】
［第１実施形態］
図１に示すように、本発明の第１実施形態に係るコンデンサ装置１は、２ｉｎ１の電力変換装置２のＰ側ライン−Ｎ側ライン間にスナバコンデンサとして設けられるコンデンサ装置１である。なお、図１の電力変換装置２において、コンデンサ装置１の基板は、図示省略されている。また、実施形態の説明では、電力変換装置２に対してコンデンサ装置１が設けられる方向を表（上）として説明するが、上下方向は本発明をなんら限定するものではない。
【００１６】
電力変換装置２は、ＡＣ端子３とＰ端子４との間に直線的に設けられるＰ側バスバー４ａと、ＡＣ端子３とＮ端子５との間に直線的に設けられるＮ側バスバー５ａを備える。Ｐ側バスバー４ａ及びＮ側バスバー５ａには、それぞれ半導体装置６（スイッチング素子）が設けられる。なお、多くの場合、Ｐ側バスバー４ａ、Ｎ側バスバー５ａ共に複数の素子が配置されることとなるが、説明の便宜上、省略した記載となっている。
【００１７】
図２、３に示すように、コンデンサ装置１は、基板７と、基板７上に設けられるＰ側端子８（正極側端子）及びＮ側端子９（負極側端子）とを備える。そして、基板７の表面（上面）には、３つのチップコンデンサ１０が直列接続された直列コンデンサＧ、Ｈ、…、Ｌが設けられ、基板７の裏面（下面）には、３つのチップコンデンサ１０が直列接続された直列コンデンサＡ、Ｂ、…、Ｆが設けられる。なお、コンデンサ装置１に含まれるチップコンデンサ１０の全体の数、直列コンデンサＡ−Ｌの数、及び一列の直列コンデンサＡ、Ｂ、…、Ｌに含まれるチップコンデンサ１０の数は任意に設定される（他の実施形態に係るコンデンサ装置についても同様である）。
【００１８】
並設された直列コンデンサＡ−Ｆ（及び直列コンデンサＧ−Ｌ）の一方の端部近傍の基板７には、Ｐ側端子８及びＮ側端子９が設けられる。また、並設された直列コンデンサＡ−Ｆ（及び直列コンデンサＧ−Ｌ）の他方の端部近傍の基板７には、基板７を介して対向配置される直列コンデンサ組（例えば、直列コンデンサＡと直列コンデンサＧ等）毎にスルーホール１１が形成される。このスルーホール１１を介して基板７を介して対向配置された直列コンデンサ組が直列に接続される。
【００１９】
図４、５に示すように、Ｐ側端子８には、直列コンデンサＬ、Ｅ、Ｄ、Ｉ、Ｈ、Ａが並列に接続される。具体的に説明すると、直列コンデンサＤ、ＥがＰ側端子８に並列に接続され、直列コンデンサＨ、Ｉが、Ｐ側端子８が備えられた側の端部において並列に接続される。また、基板７を貫通してスルーホール１２ａ−１２ｃが形成されており、直列コンデンサＤ、Ｅと直列コンデンサＬがスルーホール１２ａを通して並列に接続される。そして、直列コンデンサＤ、Ｅと直列コンデンサＨ、Ｉが、スルーホール１２ｂを通して並列に接続され、直列コンデンサＨ、Ｉと直列コンデンサＡが、スルーホール１２ｃを通して並列に接続される。
【００２０】
一方、Ｎ側端子９には、直列コンデンサＦ、Ｋ、Ｊ、Ｃ、Ｂ、Ｇが並列に接続される。具体的に説明すると、直列コンデンサＢ、ＣがＮ側端子９に並列に接続され、直列コンデンサＪ、Ｋが、Ｎ側端子９が備えられた側の端部において並列に接続される。また、基板７を通してスルーホール１２ｄ−１２ｆが形成されており、直列コンデンサＪ、Ｋと直列コンデンサＦがスルーホール１２ｄを通して並列に接続される。そして、直列コンデンサＪ、Ｋと直列コンデンサＢ、Ｃが、スルーホール１２ｅを通して並列に接続され、直列コンデンサＢ、Ｃと直列コンデンサＧが、スルーホール１２ｆを通して並列に接続される。
【００２１】
上記のような構成のコンデンサ装置１は、６並列３直列接続されたチップコンデンサ１０が２直列になっている。
【００２２】
［作用効果］
本発明の第１実施形態に係るコンデンサ装置１の作用について説明する。
【００２３】
図６（ａ）、（ｂ）に示すように、Ｐ側端子８からコンデンサ装置１に流入してくる電流は、並列となっている直列コンデンサＡ、Ｄ、Ｅ、Ｌ、Ｉ、Ｈに分配され、直列コンデンサＢ、Ｃ、Ｆ、Ｋ、Ｊ、ＧよりＮ側端子９に戻り回路へ流れていく電流経路となる（図中矢印で示す）。このように、基板７の同一平面上で隣接する直列コンデンサ（例えば、図６（ａ）に示す直列コンデンサＡと直列コンデンサＢや図６（ｂ）に示す直列コンデンサＬと直列コンデンサＫ等）を流れる電流が交互に逆向きに流れるように直列コンデンサＡ−Ｌを配置することで、直列コンデンサＡ−Ｌを流れる電流により発生する磁界が相殺されコンデンサ装置１のインダクタンスが低減する。
【００２４】
また、図７（ａ）、（ｂ）に示すように、基板７の表と裏に向かい合って配置される直列コンデンサ（例えば、図７（ａ）に示す直列コンデンサＥと直列コンデンサＫや図７（ｂ）に示す直列コンデンサＢと直列コンデンサＨ等）を流れる電流は逆方向となっている。このように、基板７の表裏で電流が逆向きに流れるように直列コンデンサＡ−Ｌを配置することで、直列コンデンサＡ−Ｌを流れる電流により発生する磁界が相殺され、コンデンサ装置１のインダクタンスが低減する。
【００２５】
また、図８に示すように、Ｐ側バスバー４ａの幅に、並列接続された直列コンデンサＪ（Ｄ）、Ｋ（Ｅ）の幅を合わせている。同様に、Ｎ側バスバー５ａの幅に、並列接続された直列コンデンサＨ（Ｂ）、Ｉ（Ｃ）の幅を合わせている。その結果、Ｐ側バスバー４ａとコンデンサ装置１の裏面（すなわち、直列コンデンサＤ、Ｅ）が向かうように配置され、Ｎ側バスバー５ａとコンデンサ装置１の裏面（すなわち、直列コンデンサＢ、Ｃ）が向かい合うように配置される。このとき、Ｐ側バスバー４ａと直列コンデンサＤ、Ｅを流れる電流の向きが逆方向となるように、直列コンデンサＤ、Ｅが配置される。同様に、Ｎ側バスバー５ａと直列コンデンサＢ、Ｃを流れる電流の向きが逆方向となるように、直列コンデンサＢ、Ｃが配置される。
【００２６】
つまり、図９（ａ）、（ｂ）に示すように、コンデンサ装置１にチャージされた電荷がＰ側端子８から電力変換装置２に流れ込む際には、対向配置された直列コンデンサＥ（及び直列コンデンサＤ）とＰ側バスバー４ａを流れる電流の向きが逆となる（図中矢印で示す）。同様に、図１０（ａ）、（ｂ）に示すように、電力変換装置２からコンデンサ装置１に電流が流れ込む場合は、対向配置された直列コンデンサＢ（及び直列コンデンサＣ）とＮ側バスバー５ａを流れる電流の向きが逆となる（図中矢印で示す）。このように、電力変換装置２内部のＰ側バスバー４ａ及びＮ側バスバー５ａとコンデンサ装置１の基板７裏面の直列コンデンサ（例えば、直列コンデンサＢ、Ｃ、Ｄ、Ｅ）で電流が逆向きに流れることで、コンデンサ装置１のインダクタンスが低減される。その結果、電力変換装置２内部に発生する磁界が減少することで、ノイズが低減され、半導体装置６等の誤作動が抑制される。なお、Ｐ側バスバー４ａ及びＮ側バスバー５ａに対向配置される直列コンデンサＡ−Ｌの数は２列に限定されるものではなく、Ｐ側バスバー４ａ及びＮ側バスバー５ａの幅に応じて１列以上とすればよい。
【００２７】
以上のような、本発明の第１実施形態に係るコンデンサ装置１によれば、コンデンサ装置１または電力変換装置２におけるインダクタンスを低減することができる。また、基板７の表面と裏面とにチップコンデンサ１０を設け、表面に設けられたチップコンデンサ１０と裏面に設けられたチップコンデンサ１０とをスルーホール１１、１２ａ−１２ｆを通して接続することで、コンデンサ装置１（及び電力変換装置２）を小型化することができる。
【００２８】
なお、コンデンサ装置１を設ける際に、電力変換装置２内部のＰ側バスバー４ａ及びＮ側バスバー５ａを考慮しない場合は、図１１に示すコンデンサ装置１３のように、直列コンデンサＡ−Ｆ（及び、直列コンデンサＧ−Ｌ）は、同一平面上に設けられた直列コンデンサＡ−Ｆ（または、直列コンデンサＧ−Ｌ）を流れる電流の向きが逆となるように交互に配列していく方が望ましい。このコンデンサ装置１３では、同一平面上に設けられた直列コンデンサＢ、Ｄ、Ｆ（または、直列コンデンサＧ、Ｉ、Ｋ）がＰ側端子８に接続され、この直列コンデンサＢ、Ｄ、Ｆ（または、直列コンデンサＧ、Ｉ、Ｋ）に隣接して設けられる直列コンデンサＡ、Ｃ、Ｅ（または、直列コンデンサＨ、Ｊ、Ｌ）がＮ側端子９に接続される。また、基板７を介して対向配置される直列コンデンサ組は、基板７に形成されたスルーホール１１を通して直列に接続される。さらに、この直列コンデンサ組の一方の直列コンデンサ（具体的には、直列コンデンサＢ、Ｄ、Ｆ、Ｇ、Ｉ、Ｋのいずれか）はＰ側端子８に接続され、他方の直列コンデンサ（具体的には、直列コンデンサＡ、Ｃ、Ｅ、Ｈ、Ｊ、Ｌのいずれか）がＮ側端子９に接続される。このように、直列コンデンサＡ−Ｆ、Ｇ−Ｌを基板７上に設けることで、図１２（ａ）、（ｂ）に示すように、基板７の同一平面上で隣接する直列コンデンサ（例えば、直列コンデンサＡと直列コンデンサＢ等）を流れる電流が交互に逆向きに流れることとなる。また、基板７を挟んで対向配置される直列コンデンサ（例えば、直列コンデンサＡと直列コンデンサＧ等）を流れる電流がお互いに逆向きとなる。その結果、直列コンデンサＡ−Ｌを流れる電流により発生する磁界が相殺され、コンデンサ装置１３のインダクタンスが低減される。
【００２９】
［第２実施形態］
本発明の第２実施形態に係るコンデンサ装置は、ライン−アース間に設けられるコンデンサ装置（いわゆる、Ｙコンデンサ）である。
【００３０】
図１３、１４に示すように、本発明の第２実施形態に係るコンデンサ装置１４は、基板７と、基板７上に設けられるグランド電極１５、Ｐ側端子８（正極側端子）及びＮ側端子９（負極側端子）とを備える。基板７の表面（上面）には、３つのチップコンデンサ１０が直列接続された直列コンデンサＧ、Ｈ、…、Ｌが設けられ、基板７の裏面（下面）には、３つのチップコンデンサ１０が直列接続された直列コンデンサＡ、Ｂ、…、Ｆが設けられる。
【００３１】
並設された直列コンデンサＡ−Ｆ（及び直列コンデンサＧ−Ｌ）の一方の端部近傍の基板７には、Ｐ側端子８及びＮ側端子９が設けられる。また、並設された直列コンデンサＡ−Ｆ（及び直列コンデンサＧ−Ｌ）の他方の端部近傍の基板７には、グランド電極１５が設けられる。
【００３２】
グランド電極１５には、直列コンデンサＧ−Ｌが並列に接続される。また、グランド電極１５には、基板７に形成されたスルーホール（図示せず）を通して直列コンデンサＡ−Ｆが接続される。このスルーホールは数が多い方が好ましく、例えば、図３に示したコンデンサ装置１のスルーホール１１のように、６箇所とすることができる。なお、Ｐ側端子８（または、Ｎ側端子９）と各直列コンデンサＡ−Ｌの接続態様は、第１実施形態で示したコンデンサ装置１（または、コンデンサ装置１３）と同様であるので、説明を省略する。すなわち、コンデンサ装置１４では、Ｐ側端子８（及びＮ側端子９）と反対側の端部（すなわち、グランド電極１５）において、直列コンデンサＡ−Ｆと直列コンデンサＧ−Ｌがそれぞれ並列となるように接続され、Ｐ側端子８（及びＮ側端子９）側では、基板７の表裏がスルーホール（図示せず）を通して接続されることで、６並列３直列で接続されたチップコンデンサ１０が２直列になっている。
【００３３】
以上のような、本発明の第２実施形態に係るコンデンサ装置１４によれば、直列コンデンサＡを流れてきた電流は、直列コンデンサＧだけでなく、直列コンデンサＢ、Ｃ、Ｆ、Ｋ、Ｊにも流れることとなる。つまり、直列コンデンサ間で相互に電流が流れることが可能になるが、第１実施形態に係るコンデンサ装置１（または、コンデンサ装置１３）において直列コンデンサＡ−Ｌを流れる電流の方向は変わらない。したがって、第１実施形態に係るコンデンサ装置１（または、コンデンサ装置１３）と同様に、直列コンデンサＡ−Ｌを流れる電流により発生する磁界が相殺され、コンデンサ装置１４のインダクタンスが低減される。また、基板７の表面と裏面とにチップコンデンサ１０を設け、表面に設けられたチップコンデンサ１０と裏面に設けられたチップコンデンサ１０とをスルーホール（図示せず）を通して接続することで、コンデンサ装置１４（及び電力変換装置）を小型化することができる。
【００３４】
また、第１実施形態に係るコンデンサ装置１と同様に、電力変換装置内部のバスバーとコンデンサ装置１４の基板７裏面に設けられた直列コンデンサを流れる電流が互いに逆向きに流れるようにコンデンサ装置１４に直列コンデンサＡ−Ｌを配置することで、コンデンサ装置１４及び電力変換装置のインダクタンスを低減できる。その結果、電力変換装置内部に発生する磁界が減少することで、ノイズが低減され、半導体装置６等の誤作動が抑制される。
【００３５】
なお、特許文献１（段落００３１及び図４参照）では、平滑コンデンサにＹコンデンサを構成するチップコンデンサを近接配置して、Ｙコンデンサの高さを低減しているが、チップコンデンサの高さ寸法は、機器に対してごくわずかである。また、ループインダクタンスの観点からは、平滑コンデンサとチップコンデンサを近い位置で接続するよりも、チップコンデンサと、半導体モジュールを含むインバータ等電力変換装置を近い位置で接続するようにすべきである。そこで、本発明の第１または第２実施形態に係るコンデンサ装置１、１４では、コンデンサ装置１、１４を半導体装置６を含む電力変換装置２内部のバスバー（Ｐ側バスバー４ａやＮ側バスバー５ａ）に近接してコンデンサ装置１、１４を配置している。このように電力変換装置２に近い位置に配置されたコンデンサ装置１、１４がスナバコンデンサ等として機能すれば、平滑コンデンサの設置場所には自由度が生まれる。
【００３６】
以上、具体的な実施形態を示して本発明のコンデンサ装置及び電力変換装置について詳細に説明したが、本発明のコンデンサ装置及び電力変換装置は、実施形態に限定されるものではなく、その特徴を損なわない範囲で適宜設計変更が可能であり、設計変更された形態も本発明の技術的範囲に属する。
【００３７】
例えば、コンデンサ装置は、実施形態に限定されるものではなく、ライン−ライン間またはライン−アース間に設けられるコンデンサに適用することができる。また、コンデンサ装置が適用される回路を有するものであれば、電力変換装置の回路構成も実施形態に限定されるものではない。
【００３８】
また、基板の表面と裏面に向かい合うように配置された直列コンデンサどうしを直列接続する方法は、スルーホールで接続することに限定されるものではない。
【符号の説明】
【００３９】
１、１３、１４…コンデンサ装置
２…電力変換装置
３…ＡＣ端子
４…Ｐ端子
４ａ…Ｐ側バスバー
５…Ｎ端子
５ａ…Ｎ側バスバー
６…半導体装置
７…基板
８…Ｐ側端子
９…Ｎ側端子
１０…チップコンデンサ
１１、１２ａ−１２ｆ…スルーホール
１５…グランド電極
Ａ−Ｌ…直列コンデンサ
【図１】
2018026915.tif 000003
【図２】
2018026915.tif 000004
【図３】
2018026915.tif 000005
【図４】
2018026915.tif 000006
【図５】
2018026915.tif 000007
【図６】
2018026915.tif 000008
【図７】
2018026915.tif 000009
【図８】
2018026915.tif 000010
【図９】
2018026915.tif 000011
【図１０】
2018026915.tif 000012
【図１１】
2018026915.tif 000013
【図１２】
2018026915.tif 000014
【図１３】
2018026915.tif 000015
【図１４】
2018026915.tif 000016